(57)【特許請求の範囲】
【請求項１】
第一の筐体及び第二の筐体がヒンジ部によって相互に回転可能に連結されており、前記ヒンジ部には突起を有し、前記第一の筐体又は前記第二の筐体に着脱自在に取り付けられる芳香剤収納用外装パネルを備え、前記芳香剤収納用外装パネルは中空構造であり、パネル表面には芳香を発散させるための芳香発散穴があいていると共に、前記中空構造が外空間に対して開口又は閉口される開閉弁を備え、前記ヒンジ部が回転し、前記ヒンジ部の突起が、前記芳香剤収納用外装パネルの開閉弁を制御することによって、芳香剤収納用外装パネルの表面の芳香発散穴から芳香が発散することを特徴とする、芳香剤収納用外装パネルを用いた携帯端末。
【請求項２】
第一の筐体及び第二の筐体がヒンジ部によって相互に回転可能に連結されており、前記第一の筐体に着脱自在に取り付けられる芳香剤収納用外装パネルを備え、前記芳香剤収納用外装パネルは中空構造であり、前記芳香剤収納用外装パネルの第一の筐体側には、芳香発散のための芳香発散穴があいており、前記第一の筐体の前記芳香剤収納用外装パネルの芳香発散穴に対向する側には第一の筐体を貫通する貫通穴が開いており、前記第一の筐体の貫通穴は他の電子部品から空間的に独立しており、前記ヒンジ部が回転することによって、前記芳香剤収納用外装パネルの中空構造が第一の筐体の貫通穴を介して、筐体を開いたときに外空間に対して開口し、筐体を閉じたときに外空間に対して閉口することを特徴とする、芳香剤収納用外装パネルを用いた携帯端末。
【請求項３】
筐体内に発音体を配置し、前記発音体を備えた筐体の表面に前記発音体の空気振動を伝達させるための空気振動伝達穴を設け、前記筐体に着脱自在に取り付けられる芳香剤収納用外装パネルを備え、前記芳香剤収納用外装パネルは中空構造であり、前記芳香剤収納用外装パネルの前記筐体と対向する面には空気振動を伝達させるための空気振動伝達用穴があり、前記筐体と対向する面の反対面には芳香を外空間に発散する芳香発散穴があいており、前記筐体の空気振動伝達穴と前記芳香剤収納用外装パネルの空気振動を伝達させるための空気振動伝達用穴を空間的に結合し、前記筐体内の発音体の振動を前記筐体の空気振動伝達穴から前記芳香剤収納用外装パネルの空気振動伝達用穴に伝え、前記芳香剤収納用外装パネルの芳香発散穴から芳香を外空間に発散するよう構成したことを特徴とする、芳香剤収納用外装パネルを用いた携帯端末。
【請求項４】
第一の筐体及び第二の筐体がヒンジ部によって相互に回転可能に連結されており、前記第一の筐体内に発音体を配置し、前記発音体を備えた第一の筐体の前記第二の筐体と重なった状態で対抗する面の反対面に、前記発音体の空気振動を伝達させるための空気振動伝達穴を設け、前記第一の筐体の前記第二の筐体と対向する面の反対面から前記第二の筐体と対抗する面へ貫通する貫通穴を設け、前記第一の筐体に着脱自在に取り付けられる芳香剤収納用外装パネルを備え、前記芳香剤収納用外装パネルは中空構造であり、前記芳香剤収納用外装パネルの前記第一の筐体と対向する面には空気振動を伝達させるための空気振動伝達用穴および芳香発散のための芳香発散穴がそれぞれあいており、前記筐体の前記空気振動伝達穴と前記芳香剤収納用外装パネルの空気振動を伝達させるための前記空気振動伝達用穴を空間的に結合し、前記筐体の前記貫通穴と前記芳香剤収納用外装パネルの芳香を外空間に発散する前記芳香発散穴を空間的に結合し、前記筐体内の前記発音体の振動を前記筐体の前記空気振動伝達穴から前記芳香剤収納用外装パネルの前記空気振動伝達用穴に伝え、前記芳香剤収納用外装パネルの前記芳香発散穴および第一の筐体の前記貫通穴から芳香を外空間に発散するよう構成し、前記第一の筐体及び前記第二の筐体が開いているときは、前記発音体の振動により、前記第一の筐体の前記貫通穴より芳香が発散し、前記第一の筐体及び前記第二の筐体が閉じているときは、芳香の発散を停止することを特徴とする芳香剤収納用外装パネルを用いた携帯端末。
【請求項５】
前記発音体から筐体の前記空気振動伝達穴及び芳香剤収納用外装パネルの前記空気振動伝達用穴に至る間に芳香剤遮断シートを設けたことを特徴とする請求項３又は請求項４記載の携帯端末。
【請求項６】
発音体制御によって、前記発音体の動作周波数および発音体の動作時間を制御することを特徴とする請求項３又は請求項４記載の携帯端末。
【請求項７】
発音体制御によって、前記発音体を５０Ｈｚ以下程度の低域の動作周波数で動作させるとともに発音体の動作時間を制御することを特徴とする請求項３又は請求項４記載の携帯端末。
【発明の詳細な説明】
【技術分野】
【０００１】
本発明は着脱可能な外装パネルを付属した携帯電話機、ＰＤＡ、音楽再生機器、ゲーム機等の携帯端末に関し、特に芳香剤収納用外装パネルを用いた芳香発散機能付き携帯端末に関する。
【背景技術】
【０００２】
従来の携帯電話機、ＰＤＡ、音楽再生機器、ゲーム機等に利用される着脱可能な外装パネルは、交換することによってデザインを変更し、視覚で楽しむものであった。一方、従来より携帯電話機から香りが発生されるようにするための技術が開示されている。例えば、携帯電話機のロッドアンテナの伸張及び受納により、芳香発散口の開閉動作が行われ、ロッドアンテナを上に伸張された場合には、芳香発散口が開いて香りが発散させるようにし、ロッドアンテナを本体に受納させた場合には、芳香発散口が閉じて香りが発散されないようにする技術が、例えば、特開２００２−７６７３４号公報に開示されている。
【０００３】
また、折り畳み式携帯電話機において、蓋体を開くことによって、ヒンジ機構を構成する駒部に開設されている小孔が露出して、駒部の内部に充填されている芳香部材の芳香が携帯電話の使用者に向かって拡散される技術が、例えば、特開２００２−２９０５２５号公報に開示されている。
【０００４】
また、筐体の内部に備わるスピーカー又はマイクロフォンの開口部から芳香剤の香りを流通させるための流通経路を筐体内部にもったことを特徴とすると共にバッテリーに隣接して芳香材を設置することによってバッテリーの発熱による芳香作用の促進を特徴としている技術が、例えば、特開２００４−２５４０２６号公報に開示されている。
【０００５】
しかしながら、特開２００２−７６７３４号公報に示される技術では、ロッドアンテナが伸張されているときにしか芳香が発散されないという構造が、芳香の自然発散を抑える利便性とは反対に、ロッドアンテナの伸張と受納と言う操作のわずらわしさを生じている。また近年では、デザイン性を重視してアンテナが筐体内に内蔵される端末が増えて来ており、この構造が採用されにくくなっている。
【０００６】
特開２００２−２９０５２５号公報に示されている技術では、ヒンジの開閉動作により芳香を制御するという操作性では優れた機能をもつ反面、ヒンジ内部に芳香部材を入れることにより、筐体内部に香りが付いてしまい、また芳香部材の成分が近接する電子部品の耐久性に影響を与えることが課題として考えられる。
【０００７】
特開２００４−２５４０２６号公報に示されている技術では、バッテリーに隣接して芳香部材を入れることにより、筐体内部に香りが付いてしまい、また芳香部材の成分が近接する電子部品の耐久性に影響を与えることが課題として考えられる。
【０００８】
すなわち、筐体内部に香りが付かないようにすると共に、筐体内部の電子部品への芳香部材の影響を極力小さくすると共に、いわゆるＴＰＯに応じて芳香を入れ替えることを可能とした芳香発散機能付き携帯端末が実現できていないという課題がある。
【発明の開示】
【０００９】
上記の課題を解決するために、本発明の芳香剤収納用外装パネルは、外装パネルを中空構造とし、外装パネルに中空構造の内容物を交換するための開閉口と、芳香を発散させるための芳香発散穴と、携帯端末の筐体に着脱自在に固定するための固定手段とを設け、中空構造の空間部分に芳香剤を収納するよう構成している。
【００１０】
この構成によれば、いわゆるＴＰＯに応じて外装パネルを交換することができるだけでなく、芳香剤も入れ替えることが可能である。
【００１１】
また本発明の芳香剤収納用外装パネルを用いた携帯端末では、第一の筐体及び第二の筐体がヒンジ部によって相互に回転可能に連結されており、ヒンジ部には突起を有し、第一の筐体又は第二の筐体に着脱自在に取り付けられる芳香剤収納用外装パネルを備え、芳香剤収納用外装パネルは中空構造であり、パネル表面には芳香を発散させるための芳香発散穴があいていると共に、中空構造が外空間に対して開口又は閉口される開閉弁を備え、ヒンジ部が回転し、ヒンジ部の突起が、芳香剤収納用外装パネルの開閉弁を制御することによって、芳香剤収納用外装パネルの表面の芳香発散穴から芳香が発散する構造を有している。
【００１２】
また本発明の芳香剤収納用外装パネルを用いた携帯端末では、第一の筐体及び第二の筐体がヒンジ部によって相互に回転可能に連結されており、第一の筐体に着脱自在に取り付けられる芳香剤収納用外装パネルを備え、芳香剤収納用外装パネルは中空構造であり、芳香剤収納用外装パネルの第一の筐体側には、芳香発散のための芳香発散穴があいており、第一の筐体の芳香剤収納用外装パネルの芳香発散穴に対向する側には第一の筐体を貫通する貫通穴が開いており、第一の筐体の貫通穴は他の電子部品から空間的に独立しており、ヒンジ部が回転することによって、芳香剤収納用外装パネルの中空構造が第一の筐体の貫通穴を介して、筐体を開いたときに外空間に対して開口し、筐体を閉じたときに外空間に対して閉口する構造を有している。
【００１３】
上記の構成により、折り畳み型携帯端末を閉じた状態から開いた状態とする動作と連動して、芳香剤が発散され、折り畳み型携帯端末を開いた状態から閉じた状態とする動作と連動して、芳香剤を発散しないようにすることが可能となる。
【００１４】
また本発明の芳香剤収納用外装パネルを用いた携帯端末では、筐体内に発音体を配置し、発音体を備えた筐体の表面に発音体の空気振動を伝達させるための空気振動伝達穴を設け、筐体に着脱自在に取り付けられる芳香剤収納用外装パネルを備え、芳香剤収納用外装パネルは中空構造であり、芳香剤収納用外装パネルの筐体と対向する面には空気振動を伝達させるための空気振動伝達用穴があり、筐体と対向する面の反対面には芳香を外空間に発散する芳香発散穴があいており、筐体の空気振動伝達穴と芳香剤収納用外装パネルの空気振動を伝達させるための空気振動伝達用穴を空間的に結合し、筐体内の発音体の振動を筐体の空気振動伝達穴から芳香剤収納用外装パネルの空気振動伝達用穴に伝え、芳香剤収納用外装パネルの芳香発散穴から芳香を外空間に発散するよう構成している。
【００１５】
この構成により、発音体が動作した状態と連動して、芳香剤が発散され、発音体が停止した状態と連動して芳香剤を発散しないようにすることが可能となる。
【００１６】
以上のように、本発明は、筐体に着脱自在に取り付けられる外装パネルの内部に芳香剤を入れることによって、筐体本体に香りがつくことがない。外装パネル部分を交換することによって、異なる芳香剤の香りを楽しむことができる。また、折り畳み型携帯端末では、筐体を開いた時に芳香剤が発散する。さらに、発音体の振動を利用した携帯端末では、発音体動作時に芳香剤が発散する。このように、芳香剤の発散状態を制御することにより、より効果的なタイミングで芳香剤を発散することができ、芳香剤の寿命の延ばすことができる。
【発明を実施するための最良の形態】
【００１７】
以下、本発明における実施の形態について、添付図面を参照しながら詳細に説明する。
【００１８】
（実施の形態１）
図１は本発明に係る芳香剤収納用外装パネルを用いた携帯端末の第１の実施の形態を示す外観斜視図であり、本発明を折り畳み型携帯電話機に適用したものである。なお、第１の実施の形態は、第一の筐体及び第二の筐体がヒンジ部によって相互に回転可能に連結された折り畳み型携帯電話機で、第一の筐体を上部筐体、第二の筐体を下部筐体として説明するが、携帯電話の形状については、ストレート型、スライド型、回転型等であってもよい。
【００１９】
図１において、第一の筐体である上部筐体１０２及び第二の筐体である下部筐体１０４は、ヒンジ部１０３によって回転自在に支持されており、ヒンジ部１０３の回転運動により、上部筐体１０２及び下部筐体１０４を開閉することができる。
【００２０】
外装パネル１０１は、上部筐体１０２にネジによって固定される構造になっている。また、外装パネル１０１は、中空構造になっており、側面外周の一部に外装パネルの開閉口である芳香剤挿入口３１３を設けることによって、容易に芳香剤の交換が可能となる。なお、芳香剤挿入口３１３は芳香剤挿入蓋３２４によって閉じるようにしている。芳香剤は、粒状のものでも、紙状のものでも、固体状のものでもよい。外装パネルの芳香発散穴１０９は、携帯電話機の外観側にあるので、常時、芳香を発散することができる。
【００２１】
また、上部筐体１０２及び下部筐体１０４のそれぞれの筐体の材質としては、ポリカーボネート樹脂（ＰＣ樹脂）やポリカーボネートＡＢＳ樹脂（ＰＣ−ＡＢＳ樹脂）等が用いられ、また、外装パネル１０１の材質としては、ポリカーボネートＡＢＳ樹脂（ＰＣ−ＡＢＳ樹脂）やアクリル樹脂（ＰＭＭＡ）等が用いられる。
【００２２】
図２及び図３は、第１の実施の形態で示した外装パネル１０１の表と裏をそれぞれ示している。図２は、外装パネル１０１の筐体側に面した側の外観斜視図である。外装パネル１０１の筐体側には、芳香発散のための穴は開いていない。図３は、外装パネルの外観側に面した側の外観斜視図である。外装パネル１０１の外観側には、芳香発散のための芳香発散穴１０９が開いている。外装パネルの芳香発散穴１０９は、芳香を発散させないときは、外部から図示しないテープ等を貼り付けておき、テープを剥がすことによって芳香発散機能を動作させることもできる。
【００２３】
外装パネル１０１の周囲には、芳香剤を交換するための芳香剤挿入口３１３及び芳香剤挿入蓋３２４がある。芳香剤挿入蓋３２４には、外装パネル１０１のビス穴１１４と共締めするためのビス穴があいている。芳香剤挿入蓋３２４のビス穴と外装パネルのビス穴を共締めすることにより、落下や衝撃等により外装パネルの芳香剤挿入蓋が開くことを防止できる。
【００２４】
（実施の形態２）
図４乃至図８に本発明に係る芳香剤収納用外装パネルを用いた携帯端末の第２の実施の形態を示す。本発明の第２の実施の形態は、本発明を折り畳み型携帯電話機に適用したものである。
【００２５】
図４は、折り畳み型携帯電話機を折り畳んだ状態で側面から見た部分断面図で、外装パネル１０１を断面で示している。図４において、外装パネル１０１は、中空構造になっており、空間部分は、芳香剤収納部１０６とデザインシート収納部１０５から構成される。デザインシート収納部１０５は、外装パネル１０１に透明若しくは半透明の材質を用いることにより、紋様や色彩を施したデザインシートを入れることで折り畳み型携帯電話機の外観のイメージを変更できる。外装パネル１０１は、上部筐体１０２に固定される構造になっている。
【００２６】
第一の筐体である上部筐体１０２及び第二の筐体である下部筐体１０４は、ヒンジ部１０３によって回転自在に支持されており、ヒンジ部１０３の回転運動により、上部筐体１０２及び下部筐体１０４を開閉することができる。
【００２７】
図５は、折り畳み型携帯電話機を折り畳んだ状態で上から見た斜視図である。なお、外装パネル１０１の内部が見えるように、外装パネルを断面にして示している。図６は、本発明の折り畳み型携帯電話機を折り畳んだ状態で横から見た斜視図である。
【００２８】
図５及び図６において、外装パネル１０１は、上部筐体１０２に固定される構造になっている。ヒンジ部１０３は、回転構造体になっている。外装パネル１０１には芳香発散開閉弁１０８があり、外装パネル１０１上のバネ押さえ固定部１１１により、バネ１１０で、外装パネル１０１の芳香発散開閉弁１０８に対向する穴を塞ぐようにしている。ヒンジ部１０３の一部１０３ａは、上部筐体１０２に支持されており、他方は、図４の下部筐体１０４に支持されている。下部筐体に支持されている側のヒンジ部１０３ｂには、ヒンジ部突起１０７が固定されており、折り畳み型携帯電話機の上部筐体１０２と下部筐体１０４が開いた状態において、外装パネルの芳香発散開閉弁１０８がヒンジ部突起１０７に押されて、外装パネル１０１内部の芳香剤が発散する構造になっている。
【００２９】
芳香剤が発散するメカニズムを図７及び図８を用いて説明する。図７は、折り畳み型携帯電話機を折り畳んだ状態の図であり、外装パネルの芳香発散開閉弁１０８がバネ押さえ固定部１１１で固定されたバネ１１０に押されて塞がれ、芳香剤が発散しない状態である。図８は、折り畳み型携帯電話機を開いた図であり、ヒンジ部１０３に固定されたヒンジ部突起１０７に外装パネルの芳香発散開閉弁１０８が押されることによって、芳香剤を発散する。
【００３０】
（実施の形態３）
図９乃至図１１は本発明に係る芳香剤収納用外装パネルを用いた携帯端末の第３の実施の形態を示す図であり、本発明を折り畳み型携帯電話機に適用したものである。図９は、折り畳み型携帯電話機を折り畳んだ状態で横から見た部分断面図である。図１０は、折り畳み型携帯電話機を途中まで開いた状態で横から見た部分断面図である。図１１は、外装パネルの筐体側に面した側の斜視図である。
【００３１】
図９乃至図１１において、外装パネル２０１は、中空構造になっており、芳香剤収納部２０６には、粒状の芳香剤２１２が収納されている。外装パネル２０１に透明若しくは半透明の材質を用いることにより、粒状の芳香剤２１２のカラーリングで折り畳み型携帯電話機の外観のイメージを変更できる。
【００３２】
外装パネル２０１は、上部筐体２０２に固定される構造になっている。
【００３３】
上部筐体２０２の外装パネル２０１面側に発光体２２５を設置することによって、より鮮やかに外装パネル１０１の色彩を表現することができる。なお、発光体２２５は、着信時又は通話時又はタイマーなどと連動して点灯してもよい。
【００３４】
第一の筐体である上部筐体２０２及び第二の筐体である下部筐体２０４は、ヒンジ部２０３によって回転自在に支持されており、ヒンジ部２０３の回転運動により、上部筐体２０２及び下部筐体２０４を開閉することができる。外装パネル２０１の上部筐体２０２に対向する面には、外装パネルの芳香発散穴２０９が開いており、その外装パネルの芳香発散穴２０９に対向する上部筐体２０２には、上部筐体の貫通穴２１０が開いている。芳香剤透過メッシュシート２２６は、通気性を有するメッシュをシート状に形成したものであり、外部からのほこりや水滴の進入を防止すると同時に粒状の芳香剤の外部への流出を防止する。芳香剤２１２の発散ルートとしては、芳香剤収納部２０６から芳香剤透過メッシュシート２２６と外装パネルの芳香発散穴２０９を通り、上部筐体の貫通穴２１０から外部へ発散される。
【００３５】
図９に示すように、折り畳み型携帯電話機が閉じられているときは、下部筐体２０４に固定されているスペーサー２１１によって上部筐体の貫通穴２１０がふさがれ、香りの発散は抑えられる。
【００３６】
図１０に示すように、折り畳み型携帯電話機が開かれているときは、粒状の芳香剤２１２は、外装パネルの芳香発散穴２０９を通り、他の電子部品と構造的に分離している上部筐体の貫通穴２１０から外部へ発散される。また、スペーサー２１１の材質としては、ポリカーボネート樹脂（ＰＣ樹脂）やポリカーボネートＡＢＳ樹脂（ＰＣ−ＡＢＳ樹脂）の他、ゴムやシリコン等が用いられる。スペーサー２１１の目的は、芳香発散の調整の他にも、液晶面ガラスへのキーからのキズ防止の機能と兼用できる。
【００３７】
図１１に示すように、外装パネル２０１の側面外周の一部に外装パネルの芳香剤挿入蓋３２４および、外装パネルの芳香剤挿入口３１３を設けることによって、容易に芳香剤の交換が可能となる。なお、芳香剤は、粒状のものでも、紙状のものでも、固体状のものでもよい。外装パネルのビス穴３１４は、図９又は図１０の上筐体２０２に固定するための穴であり、複数個開いている。また、この外装パネルのビス穴３１４と芳香剤挿入蓋３２４のビス穴をネジで共締めし、ロックする。ネジで止めることで開くことがないという効果がある。
【００３８】
図９及び図１０に示すように、外装パネルの芳香発散穴２０９は、携帯電話機の上部筐体側の向きに設けてあるので、折り畳み型携帯電話の場合は、開閉動作に連動して芳香の発散を制御でき、経済的である。
【００３９】
（実施の形態４）
図１２乃至図１７は本発明に係る芳香剤収納用外装パネルを用いた携帯端末の第４の実施の形態を示す図であり、本発明を折り畳み型携帯電話機に適用したものである。なお、第４の実施の形態は、折り畳み型携帯電話機で説明するが、携帯電話の形状については、ストレート型、スライド型、回転型等であってもよい。
【００４０】
図１２は、折り畳み型携帯電話機を折り畳んだ状態で横から見た部分断面図である。図１３は、外装パネルの筐体側に面した側の平面図である。図１４は、外装パネルの外観側に面した側の平面図である。図１２乃至図１４において、外装パネル４０１は、中空構造になっており、芳香剤収納部４０６には、粒状の芳香剤４１２が収納されている。外装パネル４０１に透明若しくは半透明の材質を用いることにより、粒状の芳香剤４１２のカラーリングで折り畳み型携帯電話機の外観のイメージを変更できる。外装パネル４０１は、上部筐体４０２に固定される構造になっている。
【００４１】
第一の筐体である上部筐体４０２及び第二の筐体である下部筐体４０４は、ヒンジ部４０３によって回転自在に支持されており、ヒンジ部４０３の回転運動により、上部筐体４０２及び下部筐体４０４を開閉することができる。発音体４１８は、上部筐体４０２の中に固定され、着信音、音楽再生音、アラームなどに利用されている。芳香の発散する原理としては、発音体４１８の動作により、空気振動が、芳香剤遮断シート４１９と上部筐体の空気振動伝達穴４２０から外装パネルの空気振動伝達用穴４１６を通り、芳香剤収納部４０６を通過し、外装パネルの芳香発散穴４１７から芳香が発散するものである。本発明は、発音体４１８から筐体の空気振動伝達穴４２０及び芳香剤収納用外装パネルの空気振動伝達用穴４１６に至る間に芳香剤遮断シートを設けている。このことにより、発音体との空間的な結合には、芳香剤遮断シートが介在されており、芳香は発音体側には入ってこない。
【００４２】
本発明では、発音体４１８の空気振動を積極的に利用し、芳香の発散制御を行うことを特徴としている。通常、同じ音圧であれば、高域より低域の方がより多く空気振動を伝えることができる。この作用を利用し、芳香の発散を強く発生させる場合は、低域の音を多く発生させる制御を積極的に行うようにする。
【００４３】
図１５及び図１６は、発音体４１８が２つある場合の芳香発散収納用外装パネルの構成であり、外装パネル７０１の表と裏をそれぞれ示している。最近の携帯電話としては、ステレオスピーカーが普及しており、本内容はそれに対応したものである。図１５は、外装パネル７０１の筐体側に面した側の斜視図である。筐体側からの空気振動を伝える外装パネルの空気振動伝達用穴７１９がある。図１６は、外装パネルの外観側に面した側の斜視図である。芳香を外部に伝達させる外装パネルの芳香発散穴７２０が開いている。筐体側からの空気振動が、図１５の空気振動伝達用穴７１９から入力され、外装パネル７０１内部の芳香剤収納部を経由して、図１６の外装パネルの芳香発散穴７２０から出力される。外装パネル７０１の周囲には、芳香剤を交換するための外装パネルの芳香剤挿入口７１３及び外装パネルの芳香剤挿入蓋７２４がある。この構成の特徴としては、外装パネル７０１の表と裏にそれぞれ穴が開いていることと、表と裏のそれぞれの穴の機能が、入力側と出力側と言うようにそれぞれ分かれている。
【００４４】
ここで、本発明は発音体を目覚ましタイマーによって駆動することにより所定時刻に芳香させる機能をもたせている。図１７に香りの出る目覚ましタイマー設定のフローチャートを示す。まず、最初に香りの出る目覚ましタイマー設定を選択する（ステップＳ１）。次に、アラーム時刻の設定を行い（ステップＳ２）、続いて香りを出すかどうかの設定を行う（ステップＳ３）。香りを出す場合の設定には、アラーム時刻とは別に、香りを出す時刻を設定する（ステップＳ４）。香りを出す時刻は、予め設定しておいたデフォルトに設定する（ステップＳ５）とそれ以外の時間設定する（ステップＳ８）に分かれる。例えば、デフォルトを３０分にした場合、アラーム時刻の３０分前に香りを出すタイマーが設定されることになる。デフォルトではなくステップＳ８の設定時間を入力するときには、設定時からのアラーム音動作に移行するまでの間の動作について、ユーザーが自由に設定することができる。なお、香りを出す設定時の音については、５０Ｈｚ以下程度の耳に聞こえにくい低域の周波数を使用する。
【００４５】
本発明の目覚ましのタイマー等でアラーム音を発生させる場合、予め設定しておいた時間より前の時間に芳香を強く発生させる低域の音を動作させることによって、心地よい香りの中、目覚めることが可能となる。
【００４６】
なお、着信報知用のバイブレータなどを有する携帯電話機のような携帯端末では、発音体を前提としなくても、一方の表面に芳香発散穴と他方の表面に空気振動を伝える空気振動伝達用穴があいている芳香剤収納用外装パネルを筐体に固定することにより、空気振動伝達用穴から筐体の振動を拾って芳香を発散させることも可能である。
【００４７】
（実施の形態５）
図１８乃至図２０は本発明に係る芳香剤収納用外装パネルを用いた携帯端末の第５の実施の形態を示す図であり、本発明を折り畳み型携帯電話機に適用したものである。なお、第５の実施の形態は、折り畳み型携帯電話機で説明するが、携帯電話の形状については、ストレート型、スライド型、回転型等であってもよい。
【００４８】
図１８は、折り畳み型携帯電話機を折り畳んだ状態で横から見た断面図である。図１９は、外装パネルの筐体側に面した側の平面図である。図２０は、外装パネルの外観側に面した側の平面図である。図１８乃至図２０において、外装パネル５０１は、中空構造になっており、芳香剤収納部５０６には、粒状の芳香剤５１２が収納されている。外装パネル５０１に透明若しくは半透明の材質を用いることにより、粒状の芳香剤５１２のカラーリングで折り畳み型携帯電話機の外観のイメージを変更できる。外装パネル５０１は、上部筐体５０２に固定される構造になっている。
【００４９】
第一の筐体である上部筐体５０２及び第二の筐体である下部筐体５０４は、ヒンジ部５０３によって回転自在に支持されており、ヒンジ部５０３の回転運動により、上部筐体５０２及び下部筐体５０４を開閉することができる。また、下部筐体５０４に固定されているスペーサー５１１は、液晶面ガラスへのキーからのキズ防止のためである。
【００５０】
発音体５１８は、上部筐体５０２の中に固定され、着信音、音楽再生音、アラームなどに利用されている。芳香の発散する原理としては、発音体５１８の動作により、空気振動が、外装パネル５０１と上部筐体５０２の隙間部分にある空気振動伝達用空間５２１全体に伝わり、外装パネルの空気振動伝達用穴５２０を通り、芳香剤収納部５０６を通過し、外装パネルの芳香発散穴５１９から芳香を発散するものである。
【００５１】
従って、外装パネル５０１の前面全体から芳香をより強力に発散をすることができる。発音体５１８を利用した効果については、目覚ましのタイマー等でアラーム音を発生させる場合、予め設定しておいた時間より前の時間に芳香を強く発散する低域の音を動作させることによって、心地よい香りの中、目覚めることが可能となる。
【００５２】
（実施の形態６）
図２１乃至図２４は本発明に係る芳香剤収納用外装パネルを用いた携帯端末の第６の実施の形態を示す図であり、本発明を折り畳み型携帯電話機に適用したものである。
【００５３】
図２１は、折り畳み型携帯電話機を折り畳んだ状態で横から見た部分断面図である。図２２は、外装パネルの筐体側に面した側の斜視図である。図２１及び図２２において、外装パネル６０１は、中空構造になっており、芳香剤収納部６０６には、粒状の芳香剤６１２が収納されている。外装パネル６０１に透明若しくは半透明の材質を用いることにより、粒状の芳香剤６１２のカラーリングで折り畳み型携帯電話機の外観のイメージを変更できる。外装パネル６０１は、上部筐体６０２に固定される構造になっている。
【００５４】
第６の実施の形態では、発音体６１８の動作及び折り畳み型携帯電話機を閉じた状態から開いた状態とする動作の２つの動作と連動して、粒状の芳香剤６１２が発散される。既に説明した実施の形態３と実施の形態４を組み合わせたものである。
【００５５】
すなわち、図２１に示すように外装パネルの芳香発散穴６２３と外装パネルの空気振動伝達用穴６２２が外装パネル６０１の同一平面状にあることが特徴である。芳香の発散する原理としては、発音体６１８の動作により、空気振動が、芳香剤遮断シート４１９と上部筐体の空気振動伝達穴６２５から外装パネルの空気振動伝達用穴６２２を通り、芳香剤収納部６０６を通過し、外装パネルの芳香発散穴６２３から上部筐体の貫通穴６２４を通り芳香が発散するものである。
【００５６】
発音体６１８を利用した効果については、目覚ましのタイマー等でアラーム音を発生させる場合、予め折り畳み型携帯電話機を開いておき、設定しておいた時間より前の時間に芳香を強く発散する低域の音を動作させることによって、心地よい香りの中、目覚めることが可能となる。但し、折り畳み型携帯電話機を閉じていた場合は、芳香の発生を止めることができる。
【００５７】
図２３及び図２４は、発音体６１８が２つある場合の芳香発散機能付き外装パネルの構成であり、外装パネル７０１の表裏を示している。図２３は、外装パネル７０１の筐体側に面した側の斜視図である。筐体側からの空気振動を伝える外装パネルの空気振動伝達用穴７２２と芳香を外部に伝達させる外装パネルの芳香発散穴７２３が同一面上に開いていることが特徴である。図２４は、外装パネルの外観側に面した側の斜視図である。外装パネル７０１の外観側には、芳香を発散させるための穴は開いていない。外装パネル７０１の周囲には、芳香剤を交換するための外装パネルの芳香剤挿入口７１３及び外装パネルの芳香剤挿入蓋７２４がある。
【産業上の利用可能性】
【００５８】
本発明は、着脱可能な外装パネルを付属した携帯電話機、ＰＤＡ、音楽再生機器、ゲーム機等の携帯端末について、外装パネルを芳香剤収納用外装パネルとして用いることにより、いわゆるＴＰＯに応じて芳香を入れ替えることを可能とした芳香発散機能付き携帯端末として適用できる。
【図面の簡単な説明】
【００５９】
【図１】本発明の実施の形態１における折り畳み型携帯電話機を折り畳んだ状態で見た斜視図
【図２】本発明の実施の形態１における外装パネルの筐体側に面した側の外観斜視図
【図３】本発明の実施の形態１における外装パネルの外観側に面した側の外観斜視図
【図４】本発明の実施の形態２における折り畳み型携帯電話機を折り畳んだ状態で横から見た部分断面図
【図５】本発明の実施の形態２における折り畳み型携帯電話機を折り畳んだ状態で上から見た斜視図
【図６】本発明の実施の形態２における折り畳み型携帯電話機を折り畳んだ状態のヒンジ部の斜視図
【図７】本発明の実施の形態２における折り畳み型携帯電話機を折り畳んだ状態で上から見た断面図
【図８】本発明の実施の形態２における折り畳み型携帯電話機を開いた状態で上から見た断面図
【図９】本発明の実施の形態３における折り畳み型携帯電話機を折り畳んだ状態で横から見た部分断面図
【図１０】本発明の実施の形態３における折り畳み型携帯電話機を途中まで開いた状態で横から見た部分断面図
【図１１】本発明の実施の形態３における外装パネルの筐体側に面した側の斜視図
【図１２】本発明の実施の形態４における折り畳み型携帯電話機を折り畳んだ状態で横から見た部分断面図
【図１３】本発明の実施の形態４における外装パネルの筐体側に面した側の平面図
【図１４】本発明の実施の形態４における外装パネルの外観側に面した側の平面図
【図１５】本発明の実施の形態４における他の外装パネルの筐体側に面した側の斜視図
【図１６】本発明の実施の形態４における他の外装パネルの外観側に面した側の斜視図
【図１７】本発明の実施の形態４における香りの出る目覚ましタイマーのフローチャート
【図１８】本発明の実施の形態５における折り畳み型携帯電話機を折り畳んだ状態で横から見た部分断面図
【図１９】本発明の実施の形態５における外装パネルの筐体側に面した側の平面図
【図２０】本発明の実施の形態５における外装パネルの外観側に面した側の平面図
【図２１】本発明の実施の形態６における折り畳み型携帯電話機を折り畳んだ状態で横から見た部分断面図
【図２２】本発明の実施の形態６における外装パネルの筐体側に面した側の斜視図
【図２３】本発明の実施の形態６における他の外装パネルの筐体側に面した側の斜視図
【図２４】本発明の実施の形態６における他の外装パネルの外観側に面した側の斜視図
【符号の説明】
【００６０】
１０１，２０１，４０１，５０１，６０１，７０１    外装パネル
１０２，２０２，４０２，５０２，６０２    上部筐体
１０３，２０３，４０３，５０３，６０３    ヒンジ部
１０４，２０４，４０４，５０４，６０４    下部筐体
１０５    デザインシート収納部
１０６，２０６，４０６，５０６，６０６    芳香剤収納部
１０７    ヒンジ部突起
１０８    芳香発散開閉弁
１０９，２０９，４１７，５１９，６２３，７２０，７２３    芳香発散穴
１１０    バネ
１１１    バネ押さえ固定部
２１０，６２４    貫通穴
２１１，４１１，５１１，６１１    スペーサー
２１２，４１２，５１２，６１２    芳香剤
２２５    発光体
２２６    芳香剤透過メッシュシート
３１３，７１３    芳香剤挿入口
３２４，７２４    芳香剤挿入蓋
１１４，３１４，６１４，７１４    ビス穴
４１６，５２０，６２２，７１９，７２２    空気振動伝達用穴
４１８，５１８，６１８    発音体
４１９    芳香剤遮断シート
４２０，６２５    空気振動伝達穴
５２１    空気振動伝達用空間
【図１】
0004518145.tif 000002
【図２】
0004518145.tif 000003
【図３】
0004518145.tif 000004
【図４】
0004518145.tif 000005
【図５】
0004518145.tif 000006
【図６】
0004518145.tif 000007
【図７】
0004518145.tif 000008
【図８】
0004518145.tif 000009
【図９】
0004518145.tif 000010
【図１０】
0004518145.tif 000011
【図１１】
0004518145.tif 000012
【図１２】
0004518145.tif 000013
【図１３】
0004518145.tif 000014
【図１４】
0004518145.tif 000015
【図１５】
0004518145.tif 000016
【図１６】
0004518145.tif 000017
【図１７】
0004518145.tif 000018
【図１８】
0004518145.tif 000019
【図１９】
0004518145.tif 000020
【図２０】
0004518145.tif 000021
【図２１】
0004518145.tif 000022
【図２２】
0004518145.tif 000023
【図２３】
0004518145.tif 000024
【図２４】
0004518145.tif 000025